(57)【要約】      （修正有）【課題】衣服の襟元への汗成分の滲出を防止し、此の部分の汚れを防止する安価な使い捨て汗止めパッドを提供する。【解決手段】襟元汗取りパッド１は、表面が毛羽状に加工された、所定厚みで多孔質のポリエチレン又はポリプロピレンより成り、水鳥飛翔状の形に仕上げられた表面第一層２と、同形状の天然パルプ不織布体より成る中間第二層３と、防水性のナイロン布体より成る同形の裏面第三層とを、ポリエステル縁取り布体４とを、共に加熱溶着して縁取りする。この構造により、前記第一層２から第二層３内に浸透した汗成分が、第三層５上面に貼着されたワイシャツ又はカッターシャツの襟元又は背中上部の内側面上に迄染み出さない様にする。更に此の裏面第三層の水鳥飛翔状の羽根部分ｗ上に、此れと同形の両面接着テープを貼着して四層構造の汗取りパッドとする。【選択図】図１
0003175487.tif 000002
【実用新案登録請求の範囲】
【請求項１】
汗吸収性布体の表面層と、此の吸収した汗を更に吸収して保湿する中間層と、此れ等の層の吸収した汗を、貼着されるべき衣服内面上への湿潤を防止する滲出防止用裏面層との三重層より成る物品であって、その三重層の形状は、水鳥飛翔状を呈すると共に、其の周縁部は、防湿性素材で縁取りされ、更に前記裏面層の飛翔状羽根部分には、衣服への接着用両面テープを貼着している事を特徴とする襟元汗取りパッド。
【請求項２】
前記表面層が多孔性毛羽状のポリエチレン又はポリプロピレン布体であり、前記中間層が保湿性天然パルプ布体であり、且つ、前記裏面層が防湿性ナイロン布体である事を特徴とする請求項１記載の汗取りパッド。
【請求項３】
前記表面層及び中間層の何れか又は双方には、キシリトールを配合したレモンシトラス香料が浸透又は塗布或いは付着されている事を特徴とする請求項１又は２記載の汗取りパッド。
【考案の詳細な説明】
【技術分野】
【０００１】        本考案は、衣服の襟元例えば、ワイシャツ、カッターシャツ等の襟元の汗取り用パッドに関する。
【拝啓技術】
【０００２】        従来、発汗時の不快感、悪臭、衣服の汚れ等を除去し且つ其の固着を防御する為に、種々なる汗止め手段が構ぜられて来た。
特に、ワイシャツ、カッターシャツ等の活動的な衣服の襟口、袖口は、外気と直接接触する部位で有る上に、人体の皮膚表面とも比較的強く摩擦する場所でもあるので、発汗時の汗湿分と人体脂質を含む垢、外気中の塵、汚物等が付着し易い場所でもあった。
【０００３】        従って、この様な部位の汚れは、従来から部分的に洗浄するか、溶剤、例えば揮発油、ヶロシン等で拭き取るか、取替え用のセルロイドカラーを用意して着脱自在に交換するか、場合に依っては、ボタン付き襟口、袖口を用意して、汚れの都度、此れを取り替えて、衛生上並びにエチケット上の清潔度を維持していた。
【０００４】        然しながら近時には、発汗の多い場所、例えば脇下部、頭部、袖口部等には、吸湿性、保湿性の良好な布体を、取替え自在に発汗部に直接貼着するか、或いは衣服上に貼着するか、場合に依っては縫合するかして、発汗湿分を吸収させて悪臭や、衣服の汚れを防止する接着汗止めパッド或いは縫合せ汗止めパッド等が提案されて来た。
【０００５】        一方、此れ等の汗取りパッドは、使用中に衣服又は発汗部から離脱又は剥離する機会も生ずるので、其の位置ずれや離脱を防ぐ為に、夫々の部分を貼着したり、縫合したりして使用していた。
然しこの様なパッドは、衛生面及びエチケット面から、汗成分の吸収量に応じて随時新しいパッドと取り替える必用が有ることから、縫合せパッドは手間が掛かり不便であると同時に、発汗部への直接的貼着も又、皮膚かぶれ等を起こし易い理由から、適切なパッドとは云い難いものであった。
【０００６】        そこで、必然的に着脱自在の衣服への貼着方法が考えられて来たが、此の方法に依って、一層発汗による汚れが衣服上に拡大する様では、汗取り商品生産上の意義が失われるので、此れに対応するパッド商品の構造上、品質上の配慮及び向上が図られてきた。
【０００７】        其の一例として、発汗された汗成分を吸収する表層第一層と、此の吸収された汗湿分を保湿する中間第二層と、此の保湿水分を衣服上に滲出させない防水用裏面第三層とより成る汗止め成分を形成し、此の成分を、適当な接着剤例えば両面テープ等で着脱自在に所望衣服取り付け部に貼着する如く構成した汗取りパッドが提案され、開示されている。
【特許文献１】  実用新案登録第３０７２５７３号
【特許文献２】  実開平６−１０３０４
【考案の開示】
【考案が解決しようとする課題】
【０００８】        然しながら、此れ等特許文献の内前者の技術は、運動頻度の高い脇下部の衣服部分に貼り付けるには、余りに狭小なリング状の部位の為、其の粘着力は充分とは見做されず、運動頻度及び摩擦頻度の高い脇下部分では、多分に剥離し易い物品であると危惧されている。【０００９】        他方、後者の特許文献２の技術は、汗取りパッドの粘着層（２）が、直接脇下発汗部に貼着されるので、使用者は常に貼着違和感を感ずると同時に、使用者に依っては皮膚のかぶれ症状を発生する危険があると想定される。
【問題を解決する為の手段】
【００１０】        本考案に於いては、脇下の汗止め技術の改善、完成は、此れ等先行考案に委任し、別途の発汗頻度の高い衣服襟元部分の汗止め技術を提案したものであり、其の課題の解決手段は以下の通りである。
即ち、この様な衣服部位での汗止めパッドである為に、その形状は、必然的に首周りの横方向の比較的長い細長部位への適応形状と成らざるを得ず、後記する如くその形状は、水鳥飛翔状の形状に形成し、其の羽根部分のみを衣類襟元内の一部に貼着させる如く形成した事を第一の特徴とし、其の飛翔状胴体部を衣服上の何れの部位にも貼着する事無くそのままとし、新規パッドとの取替え時に、此の部分を強く上向きに引き外す事に依って、容易に此の貼着部を衣服から剥離し、新規バッドと極めて容易に取り替え得る如く構成した事を第二の特徴とする。
【００１１】        更に又此のパッドの前記第一層の表面は、毛羽立加工を施して、皮膚との接触時の肌触りを良好にすると同時に、前記中間第二層は、天然パルプ布体を使用して、第一層からの汗成分の吸収一保湿性を一層向上させると共に、更に其の裏面第三層は、ナイロン布体で構成して完全に汗成分の衣服内面上への滲出を防止し、此れ等三重層は、各層の周縁部に於いて、適当幅のポリエステル縁布に依り溶着されて縁取りされ、汗止めパッド全体の強靭性と防水性を一層向上させる様に構成した事を第三の特徴とする。
【００１２】        更に一方上記三層は、その裏面第三層の水鳥飛翔状の羽根部分のみに、此れと同形の両面テープを貼着して、衣服襟元内面に貼着する如く構成し、其の貼着後の汗成分を充分吸収した使用済みパッドは、その裏面第三層の衣服に非貼着部分即ち水鳥飛翔状胴体部を、上向きに引き離す事に依り、比較的容易に剥離し得る如く構成した事を第四の特徴とする。
【考案の効果】
【００１３】        上記の如き構成から成る本考案の襟元汗取りパッドは、脇下汗取りパッドと異なり、比較的大型であると同時に、後者の取り付け場所とは異なり、比較的動きが少なく、しかもその衣服への貼着面が比較的広い面で貼着され、パッドの剥離や位置ずれも比較的少なく、その剥離取替えも、上記した如く、衣類に非貼着の飛翔水鳥胴体部を上向きに引き剥がすのみで、比較的容易に、しかも接着糊残部も比較的少量で剥離する事が出来る利益に加え、表面第一層の毛羽立加工に依って、皮膚との接触時の肌触りも良く、汗成分の吸収性も良好である利益も備えている。。
【００１４】        更に又、前記中間第二層は、天然パルプ布体であるから、汗成分の吸収保水性が良い上に、裏面第三層のナイロン布体の良好な防水性並びに強靭性に依って、パッド自体が強靭で、接着された衣服内面への汗成分の滲出を許容しないので、汗成分が衣類内面に滲出する事が無く、従って汗成分中の体脂成分、外気中の塵成分等が付着し難く、比較的清潔且つ衛生的に衣服襟元を維持することが出来る。
又、此の襟元汗取りパッドは、安価に産出可能なので、使い捨て商品として利用し得る利益も付帯している。
【００１５】        他方、上記した如く、水鳥飛翔状の汗取りパッドの飛翔羽根部分の接着剤は、その広い貼着部分の為に、衣服内側上に強く貼着するにも関わらず、此の部分の接着強度は、衣服内面上の毛羽立ちと多孔性粗面により、ナイロン面上接着強度よりも弱いので、前記水鳥飛翔状の非貼着胴体部分を剥離上向き方向に強く引っ張る事に依り、比較的容易に衣服内面から剥ぎ取る事が出来るので、新規パッドの取替えには、さほど手間が掛からない利益がある。
【００１６】        加えて、前記ポリエチレン又はポリプロピレン布体製の表面第一層及び天然パルプ布体中間第二層の何れか又は双方にキシレトール配合のレモンシトラス香料を含浸、塗布又は付着されているので、着用時に首周りに涼感を感ずると同時に、その芳香に依って爽快感を体得する事が出来る。
【考案を実施する為の最良の形態】
【００１７】        本考案を実施する為の最良の形態は、先ず第一に多孔性毛羽状に加工されたポリエチレン又はポリプロピレン布体を、水鳥飛翔状の形状に形成した表面第一層と、同形状に形成された天然パルプ布体の中間第二層と、同じく同形に形成された防水性ナイロン布体の裏面第三層とを、前記第一層及び第二層の何れか又は双方に、キシリトール配合のレモンシトラス香料を含浸又は塗布或いは付着して、所定幅のポリエステル布体で前記三層を圧縮溶着した後、前記裏面第三層の水鳥飛翔状羽根部分に、同形の両面テープを接着した四層構造の物品に形成し、使用時には、此の両面テープを剥離して、衣類例えばワイシャツ、カッターシャツ等の襟元内側の適当箇所に貼着し、発生する汗成分を吸収し、保水し且つ防水して、前記シャツ等の襟元内面まで湿潤しない様に防水し、汗成分中の体脂肪成分及び大気中の塵等の付着による汚れを防ぐと共に、汗発散時の悪臭を収集消去すると同時に、首周りに涼感を感じさせると共に、爽快な雰囲気をパッド貼着箇所近辺に醸成する如く構成した事を特徴とする。
以下に図面を参照して、本考案の好個の実施例を説明する。
【実施例１】
【００１８】        図１、図２及び図４に示す如く、本考案の襟元汗取りパッド（１）は、表面が毛羽状に加工された、所定厚みで多孔質のポリエチレン又はポリプロピレンより成り、水鳥飛翔状の形に仕上げられた表面第一層（２）と、同形状の天然パルプ不織布体より成る中間第二層（３）と、防水性のナイロン布体より成る同形の裏面第三層（５）とを、ポリエステル縁取り布体（４）とを、共に加熱溶着して縁取りし、前記第一層（２）から第二層（３）内に浸透した汗成分が、第三層（５）上面に貼着されたワイシャツ又はカッターシャツ（７）の襟元（９）又は背中上部（１０）の内側面上に迄染み出さない様に構成すると同時に、更に此の裏面第三層の水鳥飛翔状の羽根部分（ｗ）上に、此れと同形の両面接着テープ（６）を貼着した事を特徴とする四層構造の汗取りパッドである。【００１９】      斯くの如き構成より成る本考案の汗取りパッド（１）は、図３に示す衣服、例えばワイシャツ又はカッターシャツ（７）等の首周り内側面適所（９）に、図４に示す如く、前記水鳥飛翔羽根部上の両面テープ剥離紙（６）を矢印（ｆ）方向に剥離して、其の下部の水鳥飛翔胴体部（ｂ）のみは、衣服内面上に接着する事がない様に貼着して使用するものである。【００２０】        此の毛羽状構造の第一層（２）の表面は、首周りの肌触りは良好で、しかも多孔性の為に、滲出する汗成分を効率よく吸収して、中間第二層の天然パルプ不織布体（３）へと滲出する。
此の際、此れ等両層又は何れかの一層には、キシリトール配合のレモンシトラス香料が含浸又は塗布或いは付着されているので、首周りに涼感を感じさせると同時に、爽快な匂いを発生して汗成分に依る不快臭を消却し、爽快な雰囲気を醸成する。【００２１】        更に又、此の第一層に接する第二層の天然パルプ不織布体（３）は、その内部に造成される無数の微細孔内に、第一層から滲出する汗成分を効率よく吸収して、夫々の微細孔内に閉じ込めて保水すると同時に、前記第一層に含浸されるか或いは此の層に含浸又は塗布されている前記香料に依って、同様な首周りの涼感と爽快な雰囲気を醸成する。【００２２】        更に此の層内に保水される汗成分は、第三層の防水性ナイロン布体（５）で塞き止められ、その上層の衣服内面への滲出を防止され、汗成分の悪臭の放散及び体脂質の衣服への付着を防止され、外気中の汚物、塵等の付着汚染も又防止される。【００２３】        此の第三層のナイロン布体（３）は、上記防水効果に加えて其の強靭性により、使用中の捩れ、皺、等の物理的作用に依っても破損、損傷する事も防止し、更に又其の縁部のポリエステル縁取り布体（４）の溶着密封により、一層強力に防水密封して、汗成分の衣服への染み出し、汚れを防止する。【００２４】        他方、前記の如く襟元内に貼着された水鳥飛翔状羽部分（ｗ）の下部に位置する胴体部分（ｂ）は、前記した如く衣服内部（１０）又は襟元内部（９）と非接着部分である為、此の汗取りパッド（１）の取替え時には、此の部分を摘み、上記貼着羽根部分（ｗ）に向けて矢印（ｆ‘）方向に引き上げ、貼着されている羽根部分（ｗ）を剥ぎ取り、新規汗取りパッドに取り替える。
此の際の貼着部分は、ワイシャツ又はカッターシャツ等衣類の内面上の毛羽立ちや凹凸疎面に依って、比較的接着力が弱いので、比較的容易にしかも接着糊、付着物等の残塵をさほど多く残す事無く剥離される。
斯くの如くして此の衣服は、この種安価な使い捨て汗止めパッドの作用に依って、比較的長期に亘りその清潔性を維持する事が可能である。
【図面の簡単な説明】
【００２５】
【図１】本考案の衣服襟元汗止めパッドの一部切断正面である。
【図２】［図１］のパッドの一部切断裏面図である。
【図３】本考案の汗止めパッドを、ワイシャツ等の衣服襟元内部に貼着する際の説明図である。
【図４】本考案の汗止めパッドを、［図２］の線ＩＶ−ＩＶに沿って切断した場合の拡大断面図である。
【符号の説明】
【００２６】１                  本考案衣服襟元汗止めパッド
２                  同パッドの表面第一層
３                  同パッドの中間第二層
４                  同パッドの溶着縁取り布体
５                  同パッドの裏面第三層
６                  同パッドの両面テープ
ｗ                  同パッドの水鳥飛翔状羽根部分
ｂ                  同パッとの水鳥飛翔状胴体部
９                  衣服襟元内側部
１０                衣服内側部
【図１】
0003175487.tif 000003
【図２】
0003175487.tif 000004
【図３】
0003175487.tif 000005
【図４】
0003175487.tif 000006